【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
加入者局によって受信された第１の信号が中継器によって中継されたかどうかを識別する方法であって、
前記第１の信号と第２の信号との間の到着時間差を前記加入者局において測定することと、
前記加入者局の可能性がある位置を示すポテンシャルソリューション面を前記測定された到着時間差から形成することと、
前記第１の信号が中継器によって中継されたかどうかを、前記ポテンシャルソリューション面から導き出された情報に基づいて識別すること、とを具備する方法。
【請求項２】
前記第１の信号は、所在位置及びカバレッジエリアを有する基地局から発信され、前記第２の信号は、所在位置を有する源から発信され、前記識別するステップは、
前記第１の信号に関する前記発信基地局の前記所在位置において地表にほぼ接する平面を形成することと、
前記平面を前記ポテンシャルソリューション面と交差させて交差曲線を形成することと、
前記交差曲線が前記発信基地局の前記カバレッジエリアと交差するか又は前記カバレッジエリア内にある場合は、前記第１の信号は、前記発信基地局から直接受信されたと識別することと、
前記交差曲線が前記第１の信号に関する前記発信基地局の前記カバレッジエリアと交差せず、かつ前記カバレッジエリア外にある場合は、前記第１の信号が中継器によって中継されたと識別すること、とを具備する、請求項１に記載の方法。
【請求項３】
前記第２の信号の源は、ＧＰＳ衛星である、請求項１に記載の方法。
【請求項４】
前記第２の信号を発信する前記ＧＰＳ衛星の前記所在位置は、アルマナックから入手される、請求項３に記載の方法。
【請求項５】
前記第２の信号の源は、基地局である、請求項１に記載の方法。
【請求項６】
前記第２の信号を発信する前記基地局の前記所在位置は、アルマナックから入手される、請求項５に記載の方法。
【請求項７】
前記ポテンシャルソリューション面は、双曲面である、請求項１に記載の方法。
【請求項８】
前記双曲面は、２つの位置を有する二葉双曲面であり、第１の位置は、前記第１の信号に関する前記発信基地局の前記所在位置であり、第２の位置は、前記第２の信号の源の前記所在位置である、請求項７に記載の方法。
【請求項９】
前記発信基地局の前記所在位置は、アルマナックから入手される、請求項１に記載の方法。
【請求項１０】
前記第１の信号は、パイロット信号である、請求項１に記載の方法。
【請求項１１】
前記第２の信号は、パイロット信号である、請求項１に記載の方法。
【請求項１２】
請求項１の方法を具現化したソフトウェア命令が記憶されているメモリ。
【請求項１３】
プロセッサ及び請求項１２の前記メモリを具備するシステムであって、前記プロセッサは、前記メモリによって保持される前記ソフトウェア命令にアクセスし、前記ソフトウェア命令を実行するように構成されている、システム。
【請求項１４】
請求項１３の前記システムを具現化した加入者局。
【請求項１５】
請求項１２の前記メモリを組み込んでいるか又は含んでいる加入者局。
【請求項１６】
同期位置決定システムにおいて、加入者局において受信された第１の信号が中継器によって中継されたかどうかを識別する方法であって、
前記第１の信号と第２の信号との間の到着時間差を前記加入者局において測定することであって、前記第１の信号は、所在位置を有する基地局から発信され、前記第２の信号は、所在位置を有するＧＰＳ衛星から発信されることと、
前記測定された到着時間差、前記第１の信号に関する前記発信基地局の前記所在位置、及び前記第２の信号に関する前記発信ＧＰＳ衛星の前記所在位置から双曲面を形成することと、
前記第１の信号が中継器によって中継されたかどうかを、前記双曲面から導き出された情報に基づいて識別すること、とを具備する方法。
【請求項１７】
前記基地局は、カバレッジエリアを有しており、前記識別するステップは、
前記第１の信号に関する前記発信基地局の前記所在位置において地表にほぼ接する平面を形成することと、
前記平面を前記双曲面と交差させて交差曲線を形成することと、
前記交差曲線が前記発信基地局の前記カバレッジエリアと交差するか又は前記カバレッジエリア内にある場合は、前記第１の信号は、前記発信基地局から直接受信されたと識別することと、
前記交差曲線が前記第１の信号に関する前記発信基地局の前記カバレッジエリアと交差せず、かつ前記カバレッジエリア外にある場合は、前記第１の信号が中継器によって中継されたと識別すること、とを具備する、請求項１６に記載の方法。
【請求項１８】
前記双曲面は、前記第１の信号に関する前記発信基地局の前記所在位置に所在する第１の位置、及び、前記第２の信号の源の前記所在位置に所在する第２の位置、を有する二葉双曲面である、請求項１７に記載の方法。
【請求項１９】
前記交差曲線は、前記平面を前記二葉双曲面と交差させることによって形成される、請求項１８に記載の方法。
【請求項２０】
加入者局において受信された第１の信号が中継器によって中継されたかどうかを識別する方法を具体的に具現化したメモリであって、
前記第１の信号と第２の信号との間の到着時間差を前記加入者局において測定することと、
前記測定された到着時間差からポテンシャルソリューション面を形成することと、
前記第１の信号が中継器によって中継されたかどうかを、前記ポテンシャルソリューション面から導き出された情報に基づいて識別すること、とを具備するメモリ。
【請求項２１】
前記第１の信号は、所在位置及びカバレッジエリアを有する基地局から発信され、前記第２の信号は、所在位置を有する源から発信され、前記識別するステップは、
前記第１の信号に関する前記発信基地局の前記所在位置において地表にほぼ接する平面を形成することと、
前記平面を前記ポテンシャルソリューション面と交差させて交差曲線を形成することと、
前記交差曲線が前記発信基地局の前記カバレッジエリアと交差するか又は前記カバレッジエリア内にある場合は、前記第１の信号は、前記発信基地局から直接受信されたと識別することと、
前記交差曲線が前記第１の信号に関する前記発信基地局の前記カバレッジエリアと交差せず、かつ前記カバレッジエリア外にある場合は、前記第１の信号が中継器によって中継されたと識別すること、とを具備する、請求項２０に記載の方法。
【請求項２２】
加入者局において受信された第１の信号が中継器によって中継されたかどうかを識別するためのシステムであって、
前記第１の信号と第２の信号との間の到着時間差を前記加入者局において測定するための手段と、
（１）前記測定された到着時間差からポテンシャルソリューション面を形成し、（２）前記第１の信号が中継器によって中継されたかどうかを、前記ポテンシャルソリューション面から導き出された情報に基づいて識別するための論理と、を具備するシステム。
【請求項２３】
前記第１の信号は、所在位置及びカバレッジエリアを有する基地局から発信され、前記第２の信号は、所在位置を有する源から発信され、前記論理はさらに、（１）前記第１の信号に関する前記発信基地局の前記所在位置において地表にほぼ接する平面を形成し、（２）前記平面を前記ポテンシャルソリューション面と交差させて交差曲線を形成し、（３）前記交差曲線が前記発信基地局の前記カバレッジエリアと交差するか又は前記カバレッジエリア内にある場合は、前記第１の信号は、前記発信基地局から直接受信されたと識別し、（４）前記交差曲線が前記第１の信号に関する前記発信基地局の前記カバレッジエリアと交差せず、かつ前記カバレッジエリア外にある場合には、前記第１の信号が中継器によって中継されたと識別するように構成されている、請求項２２に記載のシステム。
【請求項２４】
加入者局において受信された第１の信号が中継器によって中継されたかどうかを識別する方法であって、
前記第１の信号と第２の信号との間の到着時間差を前記加入者局において測定するためのステップと、
前記測定された到着時間差からポテンシャルソリューション面を形成するためのステップと、
前記第１の信号が中継器によって中継されたかどうかを、前記ポテンシャルソリューション面から導き出された情報に基づいて識別するためのステップと、を具備する方法。
【請求項２５】
前記第１の信号は、所在位置及びカバレッジエリアを有する基地局から発信され、前記第２の信号は、所在位置を有する源から発信され、前記識別するステップは、
前記第１の信号に関する前記発信基地局の前記所在位置において地表にほぼ接する平面を形成するためのステップと、
前記平面を前記ポテンシャルソリューション面と交差させて交差曲線を形成するためのステップと、
前記交差曲線が前記発信基地局の前記カバレッジエリアと交差するか又は前記カバレッジエリア内にある場合は、前記第１の信号は、前記発信基地局から直接受信されたと識別するためのステップと、
前記曲線が前記第１の信号に関する前記発信基地局の前記カバレッジエリアと交差せず、かつ前記カバレッジエリア外にある場合は、前記第１の信号が中継器によって中継されたと識別するためのステップと、を具備する、請求項２４に記載の方法。